(57)【特許請求の範囲】
【請求項１】
空洞を成すボディであって、側壁と、第１及び第２の対向する端部と、前記側壁に設けられた出口とを有し、前記第１及び第２の対向する端部の各々が通路を有する、前記ボディと、
前記ボディの前記第１及び第２の対向する端部にそれぞれ配置された第１及び第２のスクリーンであって、各スクリーンの内部が前記通路を通して前記ボディの空洞に通じている、前記第１及び第２のスクリーンと、
前記ボディ内に配置されて、前記空洞を少なくとも２つの部分に分ける少なくとも１つのプレートであって、前記少なくとも２つの部分の第１の部分が前記第１のスクリーンに通じ、前記少なくとも２つの部分の第２の部分が前記第２のスクリーンに通じる、前記少なくとも１つのプレートと
を具備するスクリーンインテーク装置。
【請求項２】
前記スクリーンの各々が、スクリーン側壁と、閉鎖された遠位端と、開放された近位端とで構成され、該開放された近位端が、前記ボディの前記第１及び第２の対向する端部の一方に取り付けられる、請求項１のスクリーンインテーク装置。
【請求項３】
前記スクリーン側壁は円筒状である、請求項２のスクリーンインテーク装置。
【請求項４】
前記通路の各々が、前記スクリーンの内部に位置する開放遠位端と、前記ボディ内の前記通路内に位置する開放近位端とを有する少なくとも１つのパイプで構成される、請求項１のスクリーンインテーク装置。
【請求項５】
前記通路の各々が、入れ子状の少なくとも２つのパイプで構成され、各パイプは、前記スクリーンの内部に位置する１つの開放遠位端を有し、かつ、前記ボディの前記端部内の前記通路に位置する１つの開放近位端を有する、請求項１のスクリーンインテーク装置。
【請求項６】
前記少なくとも１つのプレートは、ソリッドプレートであって、前記ボディの側壁に少なくとも部分的に取り付けられる周縁部を有する第１のプレートを具備する、請求項１のスクリーンインテーク装置。
【請求項７】
前記第１のプレートは、前記周縁部から放射方向に延び出て、前記ボディの前記出口を通り抜けたタブを有する、請求項６のスクリーンインテーク装置。
【請求項８】
前記タブは、前記出口に結合された導管内に入る長さで延び出る、請求項７のスクリーンインテーク装置。
【請求項９】
前記少なくとも１つのプレートは、前記ボディ内で互いに隣り合って配置された２以上のプレートで構成され、前記２以上のプレートの少なくとも１つは、1以上の開口を有している、請求項１のスクリーンインテーク装置。
【請求項１０】
前記２以上のプレートは、互いに隣り合って配置された少なくとも２つのプレートで構成され、該少なくとも２つのプレートの各々が1以上の開口を有している、請求項９のスクリーンインテーク装置。
【請求項１１】
前記２以上のプレートは、中央プレートと、該中央プレートの一側に隣接して配置された少なくとも１つの第１プレートと、該中央プレートの他側に隣接して配置された少なくとも１つの第２プレートとからなり、前記少なくとも１つの第１及び第２プレートは、それぞれ1以上の開口を有している、請求項９のスクリーンインテーク装置。
【請求項１２】
前記中央プレートが1以上の開口を有している、請求項１１のスクリーンインテーク装置。
【請求項１３】
前記第１及び第２の部分が前記出口に通じている、請求項１のスクリーンインテーク装置。
【請求項１４】
前記少なくとも１つのプレートが、前記ボディの前記側壁を内部で支持する、請求項１のスクリーンインテーク装置。
【請求項１５】
前記少なくとも１つのプレートは、前記第１及び第２のスクリーンから前記ボディの内部で合流する流体の流れを制御する、請求項１のスクリーンインテーク装置。
【請求項１６】
前記少なくとも１つのプレートは、前記ボディに入って前記出口に向けられる流体の流れの乱れを減少する、請求項１のスクリーンインテーク装置。
【請求項１７】
側壁と、第１及び第２の対向する端部と、内部空洞と、前記側壁に設けられた出口とを有する中央ボディであって、前記第１及び第２の対向する端部の各々が通路を有する、前記中央ボディと、
第１及び第２のスクリーン部材であって、各スクリーン部材が、スクリーン側壁と、閉鎖された遠位端と、内部空間と、開放された近位端とを有し、該開放された近位端が、前記中央ボディの前記第１及び第２の対向する端部の一方に接続されている、前記第１及び第２のスクリーン部材と、
第１及び第２の流れ変更器であって、各流れ変更器が、前記通路の一方に位置すると共に前記スクリーン部材の一方の前記内部空間内に少なくとも部分的に位置し、これにより前記スクリーン部材の前記内部空間を前記中央ボディの前記内部空洞に通じさせる、前記第１及び第２の流れ変更器と、
前記中央ボディ内に配置され、該中央ボディの前記側壁を支持し、かつ、前記内部空洞を少なくとも２つの部分に分ける、流れ制御支持装置であって、前記少なくとも２つの部分の第１の部分が前記第１の流れ変更器に通じ、前記少なくとも２つの部分の第２の部分が前記第２の流れ変更器に通じる、前記流れ制御支持装置と
を具備するスクリーンインテーク装置。
【請求項１８】
スクリーンインテークアセンブリであって、
該アセンブリ内に入ってくる第１の流体の流れを篩にかける第１のスクリーン手段と、
該アセンブリ内に入ってくる第２の流体の流れを篩にかける第２のスクリーン手段と、
前記第１のスクリーン手段によって篩にかけられた前記第１の流体の流れを該アセンブリの内部空洞内に指向させる第1手段と、
前記第２のスクリーン手段によって篩にかけられた前記第２の流体の流れを該アセンブリの前記内部空洞内に指向させる第２手段と、
前記内部空洞内に指向された前記流体の流れを、該内部空洞内に指向された前記第１及び第２の流体の流れに対応する少なくとも２つの部分に、少なくとも部分的に分ける手段と、
共通の出口を通して前記流体の流れを前記内部空洞から外に出す手段と
を具備するスクリーンインテークアセンブリ。
【発明の詳細な説明】
【技術分野】
【０００１】
本発明は、スクリーン（screen: 篩）インテーク（intake: 取水）装置の流れ制御及び支持装置に関する。
【背景技術】
【０００２】
製造プラント、灌漑システム、発電施設などは、その稼働のために大量の水を使用する。水を集めるために、様々な水収納体においてスクリーンインテーク（篩取水）装置が使用される。スクリーンインテーク装置の一般的なタイプは、両側に２つのスクリーンを具えたティー構造を持つ。このスクリーンインテーク装置は、水中生物を保護し、かつ、取水用スクリーンの長さに沿ってゴミが堆積するのを防ぐように設計されねばならない。これをなすために、該スクリーンを流れる流速が或る最大ピークレベル以下を保つようにされねばならず、それは約０．５ｆ／ｓである。流れ抵抗を減少し且つ流速をスクリーン表面にわたって均一化するための一手法は、スクリーンインテーク装置の内側で流れ変更器（flow modifier）を使用することである。例えば、本出願人であるジョンソン・スクリーンズ社は、下記特許文献１（米国特許第６０５１１３１号）に示された流れ変更器を使用して流れを均一にするよう改善している。これらの特許の全体が参照によって本願明細書に組み込まれる。
【先行技術文献】
【特許文献】
【０００３】
【特許文献１】米国特許第６０５１１３１号
【発明の概要】
【発明が解決しようとする課題】
【０００４】
使用時において、スクリーンインテーク装置は、該インテーク装置に外部の圧力及び衝撃負荷をかけるような応用において実装されることがあり得る。同様に、スクリーンインテーク装置を通る流体が圧力低下及び追加的な流れ抵抗を経験するかもしれず、それはスクリーンインテーク装置の流量能力を低下させる。ここで要求されることは、スクリーン表面で均一の流速を維持する利点を持つのみならず、インテーク装置内での流れ抵抗を減少し、かつ、外部の圧力及び衝撃負荷に抗するように該インテーク装置の構造的支持を強くすることである。
【課題を解決するための手段】
【０００５】
本発明の一実施例において、スクリーンインテーク装置は、空洞を成すボディと、第１及び第２のスクリーンと、流れ制御支持装置とを具備する。前記ボディは、側壁と、第１及び第２の対向する端部と、前記側壁に設けられた出口とを有し、前記第１及び第２の対向する端部の各々が通路を有する。前記第１及び第２のスクリーンは、前記ボディの前記第１及び第２の対向する端部にそれぞれ配置され、各スクリーンの内部が前記通路を通して前記ボディの前記空洞に通じている。前記流れ制御支持装置は少なくとも１つのプレートを含み、該プレートは、前記ボディ内に配置され、前記空洞を少なくとも２つの部分に分ける。前記少なくとも２つの部分の第１の部分が前記第１のスクリーンに通じ、前記少なくとも２つの部分の第２の部分が前記第２のスクリーンに通じる。流れ制御支持装置（少なくとも１つのプレート）により、２つのスクリーンのそれぞれから取り込まれた流体の流れが制御され、乱流を防ぎ、インテーク装置内での流れ抵抗を減少する。かつ、流れ制御支持装置（少なくとも１つのプレート）により、外部の圧力及び衝撃負荷に抗するように該インテーク装置の構造的支持が強化される。
【図面の簡単な説明】
【０００６】
【図１Ａ】ティー構造、単一のチューブ状流れ変更器、流れ制御支持装置を持つスクリーンインテーク装置の部分断面図。
【図１Ｂ】ティー構造、二重のチューブ状流れ変更器、流れ制御支持装置を持つスクリーンインテーク装置の部分断面図。
【０００７】
【図２Ａ】流れ制御支持装置のソリッドプレートの正面図。
【図２Ｂ】流れ制御支持装置の孔あきプレートの正面図。
【０００８】
【図３Ａ】スクリーンインテーク装置の空洞ボディ内に１枚の孔あきプレートを装備した流れ制御支持装置の断面図。
【図３Ｂ】スクリーンインテーク装置の空洞ボディ内に１枚の孔あきプレートと長手状の流れ変更器を装備した流れ制御支持装置の断面図。
【０００９】
【図４】スクリーンインテーク装置の空洞ボディ内に複数枚の孔あきプレートを装備した流れ制御支持装置の断面図。
【００１０】
【図５】スクリーンインテーク装置の空洞ボディ内に１枚のソリッドプレートと複数枚の孔あきプレートを装備した流れ制御支持装置の断面図。
【発明を実施するための形態】
【００１１】
図１Ａ，１Ｂに示したスクリーンインテーク装置１００は、ティー構造であり、中央ボディ１２０の両側に接続された第１及び第２のスクリーン（篩）１１０Ａ，１１０Ｂを持つ。中央ボディ１２０は、空洞１２２を形成し、且つ円筒状の側壁１２４及び対向する端部壁１５０Ａ，１５０Ｂを有する。側壁１２４内の出口１３０は、導管１３２を介して、流体インテークシステム（図示せず）の他の構成要素に接続される。各端部壁１５０Ａ，１５０Ｂは、各スクリーン１１０Ａ，１１０Ｂの一方からの流れを受け止める。
【００１２】
スクリーン（篩）１１０Ａ，１１０Ｂは、中央ボディ１２０の各端部壁１５０Ａ，１５０Ｂにつながる開放端と、ゴミを逸らすように形作られていてよい閉鎖端キャップ１２２とを有する。各スクリーン１１０Ａ，１１０Ｂは、円筒形状であって内部空間を有しており、該各スクリーン１１０Ａ，１１０Ｂ内に水を取り込むための複数のスロット（隙間）を形成しており、取り込む水を篩にかける働きをする。これらのスロットは、各スクリーン１１０Ａ，１１０Ｂの軸線に平行であってもよいし、横切っていてもよい。好ましくは、輪郭づけられたワイヤ１１４を間隔を置いて配置してなるラップがスクリーン１１０Ａ，１１０Ｂの円筒表面上のスロットを形成するが、これに限らず、スクリーン１１０Ａ，１１０Ｂは固体からなる円筒表面にスロット開口を形成してなるものであってもよい。輪郭づけられたワイヤ１１４は、好ましくは、スクリーン表面にわたってゴミの滑りを促進するように外向き面をなすべく、該ワイヤ１１４の基部が広くなっている、くさび形又はＶ字形を成している。例えば、輪郭づけられたワイヤ１１４は、本出願人であるジョンソン・スクリーンズ社発売の「ＶＥＥ−ＷＩＲＥ」（ＶＥＥ−ＷＩＲＥはWeatherford/Lamb社の登録商標である）を使用するとよい。一実施例において、従来技術を使用して、図１Ｂに示すように、複数の輪郭づけられたワイヤ１１４が周囲を包み込み、内側の支持棒１１６に溶接されることで、スクリーン１１０Ａ，１１０Ｂが形成される。
【００１３】
端部壁１５０Ａ，１５０Ｂにおける中央通路（開口）１５２は、好ましいスクリーン表面流速を維持するように、スクリーン表面での流速を制御するのに十分なものとされるようになっていてよい。しかし、端部壁１５０Ａ，１５０Ｂは、該中央通路（開口）１５２に配置されて流速を更に制御する流れ変更器（flow modifier）を好ましくは具備する。概して、このスクリーンインテーク装置１００は、該中央開口１５２内に配置され且つスクリーン１０Ａ，１１０Ｂの内部空間に部分的に配置された１又は複数のパイプを持つ流れ変更器を使用できるる。この１又は複数のパイプを持つ流れ変更器により、該スクリーン部１１０Ａ，１１０Ｂの内側からの流体を、中央開口１５２を介して、中央ボディ１２０の空洞１２２に伝達する。例えば、図１Ａに示されたスクリーンインテーク装置１００は、中央開口１５２内に配置された流れ変更器として単一の流体パイプ１６０を使用するが、図１Ｂに示されたスクリーンインテーク装置１００は、中央開口１５２内において互いに入れ子になった二重の流体パイプ１１７０，１８０を使用する。
【００１４】
スクリーンインテーク装置１００及び流れ変更器は、スクリーンのスロットでの入口速度を約０．１３５ｍ／ｓ又は０．５ｆ／ｓまで減少するように設計されている。そのような低い入口速度は周辺の水生生物を保護し、かつ、ゴミが詰まるのを防止する。設計者は、許容される最高流速に近く且つ可能な限りスクリーン表面で均一に流れを分布させるように、スクリーン表面での平均的な流れを維持するように、流れ変更器のパイプ１６０，１７０，１８０の長さ、直径、流れ断面積、その他の変数要素を設計・構成する。流れ変更器が図１Ｂに示すような２つのパイプ１７０，１８０を使用する場合、例えば、大径のパイプ１７０は、スクリーン１１０の直径の約５０％、スクリーン１１０の長さの約１６％であってもよい。外側のパイプ１７０内に入れ子になる小径パイプ１８０は、外側パイプ１７０の直径の約７０％、スクリーン１１０の長さの約６７％であってもよい。更に、流れ変更器の設計に関する更なる詳細は、米国特許第６０５１１３１号に開示されており、その全体が本書に組み込まれる。
【００１５】
流れ変更器単独でも効果的であるが、図１Ａ，１Ｂのスクリーンインテーク装置１００は、中央ボディ１２０内に配置されて空洞１２２を少なくとも２つの部分に分割する流れ制御支持装置２００をも含む。図１Ａ，１Ｂに示すように、流れ制御支持装置２００は空洞１２２を２つの部分に分割する１つのソリッドプレート２１０を含む。空洞の第１の部分は、流れ変更器（パイプ１６０又は１７０，１８０）を介してスクリーン１１０Ａからの流れに連通し、空洞の第２の部分は、流れ変更器（パイプ１６０又は１７０，１８０）を介してスクリーン１１０Ｂからの流れに連通する。こうして、ソリッドプレート２１０はスクリーン１１０Ａ，１１０Ｂから空洞の中央ボディ１２０内部で合流する流体の流れを制御することができ、合流した流体の流れが出口に向かうときに該合流した流体の流れ内での乱流を減少することができる。
【００１６】
図２Ａに正面図が示されたソリッドプレート２１０は、ソリッド（無垢）な面２１２と周縁部２１４とを有する。空洞ボディ（１２０）内に置かれたとき、この周縁部２１４は空洞ボディの側壁（１２４）の内側に溶接又はブラケット若しくはその他の手段で該周縁部２１４の周りを連続的又は部分的につなげて取り付けられる。こうして、側壁（１２４）に取り付けられたソリッドプレート２１０は、内的及び外的な圧力及び衝撃負荷に対して、空洞ボディ（１２０）をその内部で支持する。
【００１７】
また、ソリッドプレート２１０は、周縁部２１４から延び出たタブ２１６を持ち得る。図１Ａ，１Ｂに示すように、このタブ２１６は、空洞の中央ボディ１２０の出口１３０を通って及び該出口１３０に接続された導管１３２内に部分的に位置する。図２Ａに示すように、このタブ２１６の幅Ｗは出口１３０のサイズと同じであってよく、タブ２１６は出口導管１３２内で距離Ｄだけ延びていてよい。この距離Ｄは、特定の装備事項として構成され得るものであり、流体の流速、流体の種類、出口のサイズ、使用する仕切プレートの数、スクリーンインテーク装置のサイズ、及びこの分野の熟練者にとって明白なその他の要素に依存するものであってよい。
【００１８】
図１Ａ，１Ｂに示した流れ制御支持装置２００はソリッドプレート２１０を使用しているが、１以上の孔、スロット、開口又は同様のものを持つ孔あきプレート又は部分的プレートを使用することもできる。例えば、図２Ｂに図示された１枚の孔あきプレート２２０は、図２Ａに図示されたソリッドプレート２１０と同様に、必須の要素として、本体部２２２、周縁部２２４、及びタブ２２６を持っている。しかし、この孔あきプレート２２０は１以上の開口２２８を有しており、該プレート２２０を通る流体の少なくとも何らかの通路となるようになっている。これらの開口２２８は、円形の孔、あるいは長手状のスロット、長細いスリット、又はその他の適宜の形状であってよい。さらに、これらの開口２２８は本体部２２２上で対称に又はランダムに配置されていてよい。概して、これらの開口２２８の数、サイズ、形状は、該プレート２２０が使用される或る特定の具体的装備に従い部分的に基づいていてよく、それは、流体の種類、望みの流速、使用する仕切プレート（孔あき又はソリッド）の数、スクリーンインテーク装置のサイズなどに基づくものであってよい。
【００１９】
図３Ａに示すように、空洞の中央ボディ１２０内に装備された流れ制御支持装置２０２は、そのような孔あきプレート２２０を１つだけ含んでいてもよい。対向するスクリーン（図示せず）からの流れ１１１Ａ，１１１Ｂが孔あきプレート２２０で出会い、出口１３０に向けられる。しかし、このプレートの開口２２８は、該流れがプレート２２０に当って該開口２２８を通り抜けるので、少なくとも流れ１１１Ａ，１１１Ｂのいくらかが、該プレート２２０の反対側で対向する流れと混じり合うことができるようにする。
【００２０】
また、図３Ｂに示すように、空洞の中央ボディ１２０内に装備された流れ制御支持装置２０２は、前記プレート２２０に関連して配置された１以上の長手状の変更器２２５を含み得る。これらの１以上の長手状の変更器２２５は、空洞の中央ボディ１２０の内側の回りに任意の手法で配置し得るものであり、また、或る特定の具体的装備に従い、任意のやり方で、空洞の中央ボディ１２０内に延設され得る。
【００２１】
図４に示すように、空洞の中央ボディ１２０内に装備された別の流れ制御支持装置２０４は、２つの上述のような孔あきプレート２２０Ａ，２２０Ｂを含み得る。図では２つのプレート２２０Ａ，２２０Ｂが示されているが、別の装備例にあっては、２よりも多い数の孔あきプレート２２０を空洞の中央ボディ１２０内に装備するようにしてもよい。これらの２つの孔あきプレート２２０Ａ，２２０Ｂは、空洞の中央ボディ１２０内で互いに隣り合って配置されており、該２つの孔あきプレート２２０Ａ，２２０Ｂの間の中央領域で、該ボディの空洞１２２を二分している。相対向するスクリーンからの流体の流れ１１１Ａ，１１１Ｂは、各孔あきプレート２２０Ａ，２２０Ｂに当り、出口１３０に導かれる。ここで、プレートの開口２２８は、相対向する流れ１１１Ａ，１１１Ｂの少なくともいくらかが該孔あきプレート２２０Ａ，２２０Ｂ間の中央空間内で混ざって出口１３０に向けられるようにすることを可能にする。
【００２２】
図４に示すように、隣り合うプレート２２０Ａ，２２０Ｂにおける開口２２８は、互いに横並びになるようにすることができる。しかし、その装着手法によっては、これらの開口２２８は互いにずらされて、横並びにならないようにされてもよい。また、図示のように、これらの２つの孔あきプレート２２０Ａ，２２０Ｂは、距離Ｌ1だけ離されており、これは、開口２２８の数、サイズ、その他の特性と同様に、本書で詳述された様々な考察に依存して、或る特定の具体的装備に合うように、適宜に構成されるようになっていてよい。更に、上記では両プレート２２０Ａ，２２０Ｂが孔あきであるが、これに限らず、一方のプレートをソリッドプレート又は部分的なプレートとすることができ、例えば、インテーク装置の外の流れの方向に依存してそのようにする。
【００２３】
図５に示された更なる変形例において、流れ制御支持装置２０６は、空洞のボディ１２０内で互いに隣り合って配置された１枚のソリッドプレート２１０と２枚又はそれ以上の孔あきプレート２２０Ａ，２２０Ｂとを含み得る。図示のように、配列の中央のプレートはソリッドプレート２１０であり、該中央プレート２１０の両側の２つの外側プレートは開口２２８を有する孔あきプレート２２０Ａ，２２０Ｂである。図示では、中央プレート２１０の両側に２つの孔あきプレート２２０Ａ，２２０Ｂが示されているが、２以上の孔あきプレート２２０を中央プレート２１０の各側に配置してもよい。孔あきプレート２２０Ａ，２２０Ｂ内の開口２２８は、いくらかの流れ１１１Ａ，１１１Ｂがこれらの孔あきプレート２２０Ａ，２２０Ｂを通り抜けて、流路内の次のプレートによって制御されるようにする。中央プレート２１０は、図示例ではソリッドプレートであるが、これに限らず、それ自身が１以上の開口を持つものであってもよい。
【００２４】
これらのプレート２１０及び２２０Ａ，２２０Ｂは空洞のボディ１２０内で互いに隣り合って配置されており、本質的に、該ボディの空洞１２２を２つの部分に分割する。従って、相対向するスクリーン（図示せず）からの流体の流れ１１１Ａ，１１１Ｂが各孔あきプレート２２０Ａ，２２０Ｂに当たって出口１３０に向けられる。プレートの開口２２８は、少なくともいくらかの流れ１１１Ａ，１１１Ｂがこれらの孔あきプレート２２０Ａ，２２０Ｂと中央プレート２１０の間を通り抜けることが出来るようにし、出口１３０に向けられるようにする。図示のように、これらのプレート２１０及び２２０Ａ，２２０Ｂは距離Ｌ2だけ離されており、これは、プレート２１０及び２２０Ａ，２２０Ｂのその他の特性と同様に、本書で詳述された様々な考察に依存して、或る特定の具体的装備に合うように、適宜に構成されるようになっていてよい。
【００２５】
前述したとおり、パイプ１６０，１７０，１８０からなる流れ変更器は、典型的にはスクリーン１１０Ａ，１１０Ｂ内で使用され、スクリーン表面での速度を制御する。ここに開示された流れ制御支持装置２００乃至２０６は、流体が流れ変更器を通り抜けた後に、該流れに対処する。そこで、該流れ制御支持装置２００乃至２０６は、２つのスクリーン１１０Ａ，１１０Ｂからの流れの合流を制御することにより、そして、スクリーンインテーク装置１００内で成長するかもしれない乱流又は渦流を減少することにより、該スクリーンインテーク装置１００の内部での最も大きな圧力低下又は流れ抵抗の領域で動作する。加えて、該装置２００乃至２０６は、中央ボディの側壁１２４を強化することにより、インテーク装置１００の構造的抵抗力を支持する手助けをする。更に、プレート２１０、２２０による支持は、側壁１２４の厚みをより薄くさせることに寄与し、崩壊の可能性を減ずる一方で、追加的な強化の必要性をなくすであろう。
【００２６】
上述した好ましい実施例及びその他の実施例の説明は、出願人によって考えられた発明のコンセプトの範囲又は応用を限定又は限界付けることを意図するものではない。本発明の利点を享受しつつ、或る一実施例についての特徴は、別の実施例についての特徴と組み合わせることができる。更に、図示された実施例は対称形であるが、厳密にそうである必要はない。例えば、プレート（２１０及び／又は２２０）は、空洞のボディ１２０の中央に配置されねばならないわけではない。それに代えて、該プレートの位置は適宜に異ならせることができ、特に、スクリーンインテーク装置１００が非対称形である場合（例えば一方の円筒端部が他方の円筒端部よりも長い場合）がそうである。
【００２７】
上述では、本発明の実施例に係る流れ制御支持装置が、１以上のパイプからなる流れ変更器を持つスクリーンインテーク装置において使用されることを開示しているが、これに限らず、そのようなパイプを持たずに、スクリーンからの流れが中央ボディの空洞内に入ることができるように中央ボディの端部壁に単に流路を設けるようにしたものにあっても適用可能である。ここに含まれた発明のコンセプトを開示することに代えて、出願人は添付の特許請求の範囲によって付与される全ての特許権を希望する。従って、添付の特許請求の範囲は、クレームした範囲内及びそれとの均等物に及ぶ汎ゆる変形及び変更を含む。
【符号の説明】
【００２８】
１００  スクリーンインテーク装置
１１０Ａ，１１０Ｂ  第１及び第２のスクリーン
１２０  中央ボディ
１２２  空洞
１２４  側壁
１３０  出口
１５０Ａ，１５０Ｂ  第１及び第２の端部壁
２００，２０２，２０４，２０６  流れ制御支持装置
２１０  ソリッドプレート
２２０，２２０Ａ，２２０Ｂ  孔あきプレート
２２８  開口
【図１Ａ】
0005319822.tif 000002
【図１Ｂ】
0005319822.tif 000003
【図２Ａ】
0005319822.tif 000004
【図２Ｂ】
0005319822.tif 000005
【図３Ａ】
0005319822.tif 000006
【図３Ｂ】
0005319822.tif 000007
【図４】
0005319822.tif 000008
【図５】
0005319822.tif 000009